(57)【特許請求の範囲】
【請求項１】
各々が複数の基地局の１つに登録された複数の無線セットをページングする方法であって、該複数の基地局はセットに分割され、該セットの各々は複数のページングゾーンコントローラのそれぞれに相互接続されており、該ページングゾーンコントローラの各々は複数のページングゾーンのうちの１つを制御しており、該ページングゾーンコントローラの各々が無線スイッチへ相互接続されており、該方法は、
該複数の無線セットの第１の無線セットに向けられた入り呼を該無線スイッチが受信する段階と、
第１のページングゾーンコントローラに相互接続された第１の基地局セットの第１の基地局に該無線セットが登録されているときには、該無線スイッチが、該複数のページングゾーンの第１のページングゾーンを制御する該複数のページングゾーンコントローラの第１のページングゾーンコントローラへ該入り呼を通信する段階と、
該第１の基地局が入り呼を扱う呼容量を有するときには、該第１のページングゾーンコントローラが該入り呼を該第１の基地局を介して該第１の無線セットにルートする段階と、
該第１の基地局が入り呼を扱う呼容量を有さないときには、該第１のページングゾーンコントローラが第１のメッセージを該第１の基地局を介して該第１の無線セットに送信する段階とからなり、これにより、該第１のメッセージは、該第１の基地局セットの中の入り呼を扱う容量を有する第２の基地局を探しこれに登録するよう該第１の無線セットに指示し、該第１のメッセージは該第２の基地局を同定しないものであり、該方法はさらに、
第２の基地局が決定されないときには、該第１のページングゾーンコントローラが第２のメッセージを該第１の無線セットから該第１の基地局を介して受信する段階からなり、これにより、該第２のメッセージは、該第２の基地局が見つからなかったことを定義することを特徴とする方法。
【請求項２】
請求項１に記載の方法において、該方法はさらに、該第２のメッセージが、該第１の無線セットへの該入り呼を完結することができる呼容量を有する複数の基地局のうちの１つを該第１の無線セットが見出すまで該入り呼を保留状態にすることを示すときには、該第１のページングゾーンコントローラが第３のメッセージを無線スイッチに送信する段階からなることを特徴とする方法。
【請求項３】
請求項２に記載の方法において、該方法はさらに、該第２のメッセージの送信に応動して、該複数のページングゾーンの第２のページングゾーン内の該複数のページングゾーンコントローラの第２のページングゾーンコントローラによって制御された第２の基地局セットの第３の基地局を該第１の無線セットが登録する段階と、
該第２のページングゾーンコントローラが該第１の基地局を該無線スイッチで登録する段階と、
該無線スイッチが、該第１の無線セットの登録と該第３のメッセージとに応動して、該入り呼を該第２のページングゾーンコントローラに延長する段階からなることを特徴とする方法。
【請求項４】
請求項１に記載の方法において、該方法はさらに、受信された第２のメッセージと第１のページングゾーンコントローラ内に記録されているデータとに応動して、該第１のページングゾーンコントローラによって該入り呼が転送される呼カバーシステムのタイプを決定する段階からなることを特徴とする方法。
【請求項５】
請求項４に記載の方法において、該呼カバーシステムのタイプを決定する段階は、該記録されているデータを使用して、該第１のページングゾーンコントローラによって音声メールシステムを選択する段階からなることを特徴とする方法。
【請求項６】
請求項５に記載の方法において、該選択する段階は、記録されているデータを使用して、該第１のページングゾーンコントローラが該入り呼の発呼者に再生すべき音響メッセージを指定する段階からなることを特徴とする方法。
【請求項７】
基地局を介した入り電話呼を受信する無線セットであって、該セットは、
該無線セットが登録されている基地局から第１のメッセージを受信する手段からなり、これにより、該第１のメッセージは、該無線セットが入り電話呼を有すること、そして該無線セットへの入り呼を完結する呼容量を有する他の基地局を見出さなければならないことを該無線セットに示すものであり、該無線セットはさらに、
該無線セットが該入り呼に応答できないことを示す第２のメッセージを該基地局へ送信する手段と、そして該ユーザの操作に応動して他の基地局が見出せないときに呼が転送されるべき呼カバーシステムの形式を示す手段と、
該他の基地局が見出せないことに応動してユーザに対して警報を発する手段とからなることを特徴とする無線セット。
【請求項８】
請求項７に記載の無線セットにおいて、該示す手段は、該呼カバーシステムが音声メイルシステムであることを規定する手段からなることを特徴とする無線セット。
【請求項９】
請求項８に記載の無線セットにおいて、該規定する手段は、該ユーザに対し、該音声メイルシステムが該入り呼の発呼者へ再生すべき音声メッセージを該ユーザが特定することを許可する手段とからなることを特徴とする無線セット。
【請求項１０】
請求項７に記載の無線セットにおいて、該送信する手段は、該ユーザの操作に応動して、該入り呼が第１の無線セットに対して完結できる呼容量を有する他の基地局を第１の無線セットが見出すことができるまで、該入り呼を保留することを該第２のメッセージ内に示す手段とからなることを特徴とする無線セット。
【請求項１１】
請求項１０に記載の無線セットにおいて、該無線セットはさらに、該第２のメッセージの送信に応動して、該他の基地局を見出す手段からなることを特徴とする無線セット。
【発明の詳細な説明】
【０００１】
【発明の属する技術分野】
本発明は、パーソナル通信サービスシステム、より詳細には、入り呼の、無線セットによる、ページングチャネルを介しての制御に関する。
【０００２】
【従来の技術】
当分野においては、パーソナル通信サービス（ｐｅｒｓｏｎａｌ  ｃｏｍｍｕｎｉｃａｔｉｏｎ  ｓｅｒｖｉｃｅ，ＰＣＳ）がページングゾーン（ｐａｇｉｎｇ  ｚｏｎｅｓ）内で提供される。ＰＣＳ交換システムは、登録されている各無線セットを、ある特定のページングゾーン内に位置するものとして識別する。ＰＣＳシステムが、特定の無線セットに向けられた入り呼を受信すると、ＰＣＳシステムは、その無線セットのページングゾーン内の全ての基地局に要請して、無線セットに自身をそれら基地局の一つに識別すること（登録すること）を要請するメッセージ（ページングメッセージ）を送信する。
【０００３】
【発明が解決しようとする課題】
通常、ＰＣＳ基地局は、任意の時間において、限られた数の無線セット、例えば、２から１２のアクティブな無線セットを扱うことができるのみである。無線セットは、本質的に移動性であるために、無線セットが、ある特定のページングゾーンあるいは、ページングゾーンの一部分に集中し、しかも、これらゾーンがたった二三の基地局によって扱われるという状況が発生し得る。このような状況が発生すると、これら無線セットは、出呼を発信したり、入り呼を受信したりすることができなくなる。加えて、このような状況において、無線セットのユーザは、ＰＣＳ交換システムが、現在その無線セットを処理している基地局の呼容量が不足しているために無線セットに接続することができない入り呼をどのように扱うべきかに関しての制御を持たない。
【０００４】
【課題を解決するための手段】
当分野における上記の問題の解決、および技術上の向上が、本発明によるＰＣＳ交換システムおよび無線セットによって達成されるが、本発明によると、無線セットが、入り呼を、無線セットが登録されている基地局が無線セットに呼を接続するための容量を持つか否かに関係なく、入り呼の処理を制御することを可能にされる。無線セットに向けられた入り呼が受信されると、ＰＣＳシステムの全体としての制御を提供している中央コンピュータが、この呼を、無線セットが登録されている基地局が存在するページングゾーンのページングゾーンコントローラに転送する。この基地局がこの呼を扱うための容量を持たない場合は、ページングゾーンコントローラは、ページペンディングメッセージを、この基地局およびページングチャネルを介して、無線セットに送信し、無線セットにページがペンディング状態にあり、その無線セットが空いた容量を持つ基地局を見つけるべきであることを通知する。無線セットがそのページングゾーン内に空いた容量を持つ基地局を見つけることができない場合は、無線セットは、ＰＣＳ交換システムに、ページングゾーンコントローラを介して、ページペンディング応答メッセージを送信し、このメッセージによって、ＰＣＳシステムが入り呼に関して遂行すべき動作を指定する。長所として、無線セットは、このページペンディングメッセージ内に、入り呼がそこにルートされるべき呼カバーシステムを指定することができる。加えて、このページペンディング応答メッセージによって、呼カバーシステムによって入り呼の発呼者に与えられるべきメッセージを定義することもできる。さらに、長所として、無線セットは、このページペンディング応答メッセージ内に、無線セットがその無線セットに入り呼を接続するための呼容量を持つ基地局を見つけるまで入り呼を保留状態に置くべきであることを指定することができる。
【０００５】
本発明のこれらおよびその他の長所、並びに、特徴が、本発明の一例としての実施例の以下の説明を、図面を参照しながら読むことによって、一層明白となるものである。
【０００６】
【発明の実施の形態】
図１は、無線交換システムを示す。中央コンピュータ１０１は、無線交換システムの全体としての制御を提供し、交換網１０５は、無線交換システムを公衆交換網１２８にプライマリレートインタフェース（ｐｒｉｍａｒｙ  ｒａｔｅ  ｉｎｔｅｒｆａｃｅ，  ＰＲＩ）リンク１２７を介してインタフェースする。中央コンピュータ１０１は、制御情報をＩＳＤＮメッセージとして公衆電話網１２８およびページングゾーンコントローラから交換網１０５を介して受信する。各ページングゾーンは、ページングゾーンコントローラによって制御される。例えば、ページングゾーンコントローラ１０２は、ページングゾーン１２７を制御する。ページングゾーンコントローラ１０２は、ページングゾーン１２７内の基地局１０４−１０７を制御する。ページングゾーンコントローラ１０２は、中央コンピュータ１０１とリンク１１３を介して通信する。リンク１１３としては、ＰＲＩリンクを使用することも、他の通信リンクを使用することもできる。ページングゾーンコントローラ１０２は、基地局１０４にリンク１１６−１１８を介して接続される。これら各々のリンクとしては、一つあるいは複数のベーシックレートインタフェース（ｂａｓｉｃ  ｒａｔｅ  ｉｎｔｅｒｆａｃｅ，  ＢＲＩ）リンクあるいは、ＰＲＩリンクが使用される。基地局は、無線セット、例えば、無線セット１１１と無線リンク１２２−１２４を介して通信する。使用が考えられる一つのプロトコルは、“Ｕｓｅｒ−Ｎｅｔｗｏｒｋ  Ｉｎｔｅｒｆａｃｅａｎｄ  Ｉｎｔｅｒ−Ｎｅｔｗｏｒｋ  Ｉｎｔｅｒｆａｃｅ  Ｓｔａｎｄａｒｄｓ  ｆｏｒ  ＰＨＳ”，  ｔｈｅ  Ｔｅｌｅｃｏｍｍｕｎｉｃａｔｉｏｎ  Ｔｅｃｈｎｏｌｇｙ  Ｃｏｍｍｉｔｔｅｅ，１９９５、および“Ｐｅｒｓｏｎａｌ  Ｈａｎｄｙ  Ｓｙｓｔｅｍ  ＲＣＲ  Ｓｔａｎｄａｒｄ”，Ｖｅｒｓｉｏｎ  １，ＲＣＲ  ＳＴＤ−２８，Ｄｅｃｅｍｂｅｒ  ２０，１９９３において示されるＪａｐａｎｅｓｅ  ＰＨＳ  ｐｒｏｔｏｃｏｌ（日本ＰＨＳプロトコル）である。このＰＨＳプロトコルのメッセージセットは、ＩＳＤＮメッセージセットに類似する。ページングゾーンコントローラ１０３は、中央コンピュータ１０１とリンク１１４を介して通信し、さらに、ページングゾーンコントローラ１０３、基地局１０８−１０９と、リンク１１９−１２１を介して通信する。図１に示されるように、複数のページングゾーンが存在し、おのおのがページングゾーンコントローラによって制御される。ある無線セット、例えば、無線セット１１１は、ある時間において一つの基地局にのみ登録されるが；ただし図１の無線リンクによって示されるように、無線セットは、あるページングゾーン内の全ての基地局からページングチャネルを受信する。ただし、実際の問題としては、無線セットは、無線レンジ内の基地局のページングチャネルのみを受信する。無線セットは、無線セットが登録された基地局からのページングチャネルを受信することを要求される。そうでない場合は、無線セットは、別の基地局に登録しなければならない。
【０００７】
図１に示される無線交換システムの動作を理解するために以下の例を考える。無線セット１１１が、初めて、ページングゾーンコントローラ１０２によって制御されるページングゾーン内に入ると、無線セット１１１は、基地局１０４に登録する。この登録の際に、ページングゾーンコントローラ１０２は、中央コンピュータ１０１に、無線セット１１１がページングゾーン１２７内に入ったことを知らせる。加えて、ページングゾーンコントローラ１０２は、無線セット１１１を、基地局１０４内に登録されているものてしてマークする。無線セット１１１に向けられた入り呼が中央コンピュータ１０１によって、交換網１０５を介して受信されると、この呼は、リンク１１３を介してページングゾーンコントローラ１０２にルートされる。基地局１０４が、リンク１１６内に空きの会話チャネル（リンク１１６がＰＲＩあるいはＢＲＩリンクの場合は、Ｂチャネル）を持つ場合は、ページングゾーンコントローラ１０２は、無線セット１１１への入り呼を基地局１０４を介して完結する。リンク１１６内に空いた会話チャネルが存在しない場合は、ページングゾーンコントローラ１０２は、メッセージを、無線セット１１１に、基地局１０４を介して送信することによって、無線セット１１１に、無線セット１１１に向けられた入り呼が存在するために、無線セット１１１が基地局をページングゾーンコントローラ１０２に相互接続するリンク上に空いた会話容量を持つ基地局を見つけるように知らせる。このメッセージは、ページペンディングメッセージ（ｐｅｎｄｉｎｇ  ｐａｇｅ  ｍｅｓｓａｇｅ）と呼ばれる。
【０００８】
このページペンディングメッセージに応答して、無線セット１１１は、その無線レンジ内にあり、しかもページングゾーン１２７内にある、この呼を扱うための空いた呼容量を持つ別の基地局を監視する。各基地局は、定期的に、ページングチャネル上に、その識別および空いた呼容量についての情報を送信する。これに該当する基地局が見当らない場合は、無線セットは、無線セットのユーザに、ディスプレイメッセージ、音響警告、あるいは振動を利用して警報し、呼がペンディングされているが（待たされているが）、このページングゾーン並びに無線レンジ内のどの基地局も空いた呼容量を持たないことを伝える。この警報に応答して、この入り呼が、ページングゾーンコントローラ１０２および中央コンピュータ１０１によってどのように扱われるベきかを、無線セットのキーパッドを利用して、情報を入力することによって選択する。こうして入力された情報は、ページペンディング応答メッセージ（ｐａｇｅ  ｐｅｎｄｉｎｇ  ｒｅｓｐｏｎｓｅ  ｍｅｓｓａｇｅ  ）内に挿入され、無線セット１１１によって、ページングゾーン１２７内の別の基地局が直ちに決定できない（見つからない）場合に送信される。ユーザは、この入り呼を、呼カバーシステム、例えば、秘書、秘書プール、あるいは、音声メールシステム１２９に向けることができる。音声メールシステム１２９に向ける場合は、ここでも、キーボードを利用して、音声メッセージを指定することができる。すると、音声メールシステム１２９は、このメッセージを発呼者に向けて再生し、音声システム１２９は、発呼者からのメッセージの録音を開始する。好ましくは、音声メールシステム１２９は、“Ｍｒ．Ｄｏｅは、ただ今ＰＣＳ通話が塞がっているために出られないが、５分以内にこちらからかけなおします”といったメッセージを再生することができる。呼が音声メールシステムに転送される場合に音声メールシステムによって利用されるこの挨拶メッセージを指定する機能については、合衆国特許第５，４３４，９０６号において開示されているので、これを参照されたい。
【０００９】
このページペンディング応答メッセージ内に、ユーザは、また、入り呼を保留状態にすることを指定することもできる。ユーザは、その上で、ページングゾーン１２７、あるいは別のページングゾーン内の基地局を見つけ、この基地局を通じて無線セットに呼を接続する。この動作は、ページペンディングメッセージ内に、“別の基地局を探索中（ｓｅｅｋｉｎｇ  ａｎｏｔｈｅｒ  ｂａｓｅ  ｓｔａｔｉｏｎ）”と呼ばれるメッセージを挿入することによって喚起される。ページペンディング応答メッセージ内に、この動作が指定されると、ページングゾーンコントローラは、中央コンピュータ１０１にメッセージを送信することによって、これに無線セットが、入り呼が接続されるべき別の基地局を探索中であることを知らせる。無線セットのユーザは、次に、必要な呼容量を持つ基地局に移り、無線セットは、この別の基地局との登録プロセスを開始する。この基地局に送信される最初の登録メッセージは、基地局に、ペンディング中の入り呼であり；従って、無線セットが全ての登録プロセスを完結することは要求しないことを伝える。無線セットが発見した基地局が位置するページングゾーン内のページングゾーンコントローラが、次に、中央コンピュータ１０１に、この無線セットに向けて現在保留にされている入り呼が存在することを通知する。中央コンピュータ１０１は、この入り呼を、この新たなページングゾーンコントローラおよびこの新たな基地局を通じて無線セットに接続する。呼保留指標を含むページペンディング応答メッセージが、受信された当初に、中央コンピュータ１０１が、音声メールシステム１２９を利用して、入り呼の発呼者にメッセージ再生し、発呼者に、呼への応答に時間がかかることを通知することも可能である。
【００１０】
図２は、ページングゾーンコントローラ１０２をより詳細に示す。図２に示されるように、ページングゾーンコントローラ１０２を中央コンピュータ１０１に交換網１０５を介してインタフェースするリンク１１３は、ＰＲＩリンクであり、これは、ページングゾーンコントローラ１０２内にＰＲＩインタフェース２１１によって終端される。ページングゾーンコントローラ１０２を基地局１０４−１０７に相互接続するリンク１１６−１１８は、単一のＢＲＩリンクとして示されるが、これは、おのおの、ページングゾーンコントローラ１０２内に、ＢＲＩリンクインタフェース、例えば、ＢＲＩインタフェース２０４によって終端される。各ＢＲＩリンクは、おのおのが、各基地局が二つのアクティブな呼を持つことを許す２つのＢチャネル、および制御情報を通信するための１のつＤチャネルを持つ。基地局が任意の時間に二つのアクティブな呼以上を持つことができる場合は、各基地局への追加のＢＲＩリンクあるいは、ＰＲＩリンクが利用される。
【００１１】
音声接続は、交換網１０５とＢＲＩリンク、例えば、リンク１１６との間で、ＢＲＩリンクインタフェース２０４、ＴＤＭバス２０９、およびＰＲＩインタフェース２１１を介して設定される。ＰＲＩリンクインタフェース２１１とＢＲＩリンクインタフェース２０４−２０６は、ＴＤＭバス２０９上で、割当てられたタイムスロットを使用して通信する。ＰＲＩインタフェース２１１は、情報をこのタイムスロット内に入れて、交換網１０５に、あるいはこれから、リンク１１３を介して送受信する。プロセッサ２０１は、網プロセッサ２０２、ＬＡＮインタフェース２０３、ＬＡＮバス２０８を介して、シグナリングメッセージを送信することによって、リンクインタフェースの動作を制御する。これらシグナリングメッセージは、ＩＳＤＮメッセージであり、これらは、ＬＡＮバス２０８、ＬＡＮインタフェース２０３、網プロセッサ２０２を介して、プロセッサ２０１とこれらリンクインタフェースとの間を送受信される。例えば、入り呼は、ＰＲＩインタフェース２１１によって受信される設定メッセージ（ｓｅｔｕｐ  ｍｅｓｓｇｅ）によってシグナリングされ、すると、ＰＲＩインタフェース２１１は、この設定メッセージを、プロセッサ２０１に向けて、ＬＡＮバス２０８、ＬＡＮインタフェース２０３、網プロセッサ２０２を介して送信する。同様にプロセッサ２０１は、ＩＳＤＮメッセージを基地局とのシグナリングに使用するが、これは、網プロセッサ２０２、ＬＡＮインタフェース２０３、ＬＡＮバス２０８、および基地局が接続されているＢＲＩリンクインタフェースを介してこれを基地局に送信する。
【００１２】
図３は、基地局１０４をより詳細に示す。リンクインタフェース３０４は、基地局１０４を相互接続するインタフェースリンク１１６を図２のＢＲＩリンクインタフェース２０４にインタフェースする。リンクインタフェース３０４は、リンク１１６のＢチャネルに応答して、これらＢチャネルをバス３０８を介してＰＣＭ／ＲＦ変換器に送る。この変換器は、Ｂチャネル上のＰＣＭ符号を、無線セットによって利用される符号に変換する。さらに、リンクインタフェース３０４は、リンク１１６のＤチャネルをマイクロプロセッサ３０１に送る。マイクロプロセッサ３０１は、ページングゾーンコントローラ１０２のプロセッサ２０１によって送られてきたこれらメッセージに応答して、これらメッセージをＲＯＭ３０２およびＲＡＭ３０３内に蓄積されているプログラムおよびデータを利用して処理する。マイクロプロセッサ３０１は、ＰＣＭ／ＲＦ変換器３０５およびＲＦ回路をバス３１１を介して制御する。マイクロプロセッサ３０１は、無線セットに対する制御メッセージをＰＣＭ／ＲＦ変換器３０５に送るが、変換器３０５は、これらメッセージを無線セットによって利用されるメッセージングプロトコルに変換する。ＲＦ回路３０６は、基地局１０４を介して登録された無線セットとの無線リンク、例えば、無線リンク１２２を維持する。
【００１３】
図４は、無線セット１１１をより詳細に示す。このユニット内の要素としては、制御ユニット４０１およびクロック４０９が含まれる。クロック４０１は、（１）制御ユニット４０１、（２）時間領域送受信切替え器（ＴＤＤ）４０３、および（３）組み合わされたタイプのデジタル・アナログ／アナログ・デジタル（Ｄ／Ａ＋Ａ／Ｄ）変換器４０４に同期を提供する。無線セット１１１内にはさらに、ＲＦトランシーバ４０６、アンテナ４０７、および周波数シンセサイザ４０８が含まれる。電話回路／キーパッドセクション４０５は、電話数字のダイアリングおよび制御キーの起動によって、電話呼を設定および受信することを可能にする。ディスプレイ４１６、音響トランジューサ４１７、および振動トランジューサ４１８は、制御ユニット４０１によって、フィードバックをユーザに提供し、ユーザに様々な状況を警報するために利用される。ユーザには、音響トランジューサ４１７の音響を沈める能力が与えられるが、この場合は、制御ユニット４０１は、振動トランジューサ４１８を利用することによって、呼者に入り呼等について警告する。
【００１４】
トランシーバ４０６は、ＲＦ送信機とＲＦ受信機の両方を含む。トランシーバ４０６は、基地局によって送信された音声信号を復調し、これら信号を、変換器４０４のＤ／Ａセクションおよびハイブリッド４１０を介して、ラウドスピーカ４１１に結合する。トランシーバ４０６は、マイクロホン４１１からその入力アナログ音声信号を受信する。これらアナログ音声信号は、トランシーバに、ハイブリッド４１０および変換器４０４のＡ／Ｄセクションを介して結合される。変換器４０４は、これらアナログ信号をデジタル信号に変換し、これらデジタル信号は、ＲＦトランシーバ４０６に送信される。従来の増幅器４１３および４１４が採用され、これによって、マイクロホン４１１から得られる、あるいはラウドスピーカ４１２に提供されるアナログ音声信号が増幅される。制御メッセージは、時間領域送受切替え器４０３を介して制御ユニット４０１に転送される。
【００１５】
図５、６、７、および１０は、ページングゾーンコントローラによって遂行される動作を解説する。メッセージが受信されると、判定ブロック５０１において、そのメッセージが、無線セットに対する入り呼の存在を示すか決定される。これは、通常は、設定メッセージの形式を持つ。答えが肯定である場合は、ブロック５０３において、無線セットが登録されている基地局が、この呼を無線セットに向けて接続（完結）するための呼容量を持つか決定される。答えが肯定である場合は、ブロック５０２において、呼が通常の方法にて処理される。判定ブロック５０３における答えが否定である場合は、ブロック５０４において、ページペンディングメッセージ（ｐｅｎｄｉｎｇ  ｐａｇｅ  ｍｅｓｓａｇｅ）が無線セットが現在その上に登録されている基地局を介して無線セットに送信される。このページペンディングメッセージは、無線セットに、そのページングゾーン内の入り呼を無線セットに接続できる容量を持つ基地局を見つけ、そこに登録するように指示する。ブロック５０４の実行の後に、ブロック５０６において、無線セットがそのページングゾーン内の別の基地局に登録したか決定される。答えが否定である場合は、ブロック５１０において、ページペンディング応答メッセージが受信されたか決定される。答えが肯定である場合は、制御は、図６のブロック６０１に渡される。判定ブロック５１０における答えが否定である場合は、判定ブロック５１１において、無線セットが別の基地局を見つけるために許されている時間期間が過ぎたか決定される。答えが否定である場合は、制御は、判定ブロック５０６に戻される。判定ブロック５１１における答えが肯定である場合は、ブロック５１２において、拒絶メッセージ（ｒｅｊｅｃｔｉｏｎ  ｍｅｓｓａｇｅ  ）が中央コンピュータ１０１に送信され、その後、制御は、判定ブロック５０１にもどる。
【００１６】
判定ブロック５０６に戻り、判定ブロック５０６における答えが肯定である場合は、ブロック５０７において、入り呼が無線セットに別の基地局を通じて接続される。次に、ブロック５０８において、無線セットが、状態テーブル内において、ビジーとして、かつ、別の基地局に登録されているものとして、マークされる。この状態テーブルが図１２に示される。ブロック５０８においては、カラム１２０２−１２０４が更新される。カラム１２０１は、既に、無線セットの指標を含む。最後に、ブロック５０９において、入り呼が通常の方法にて処理される。
【００１７】
判定ブロック５０１に戻り、判定ブロック５０１における答えが否定である場合は、制御は、判定ブロック５１３に渡され、ここで無線セットが、出呼をかけているのか決定される。答えが肯定である場合は、ブロック５１４において、この呼が通常の方法にて処理される。判定ブロック５１３における答えが否定である場合は、制御は、図７のブロック７０１に渡される。ブロック７０１において、登録メッセージが受信されたか決定される。判定ブロック７０１における答えが肯定である場合は、判定ブロック７００において、登録メッセージ内に呼保留（ｃａｌｌ  ｈｏｌｄ  ）指標が含まれるか決定される。答えが肯定である場合は、制御は、図１０の判定ブロック１００１に渡される。ブロック７００における答えが否定である場合は、判定ブロック７０２において、ページングゾーン移動（切替え）の指標（ｐａｇｉｎｇ  ｚｏｎｅ  ｓｗｉｔｃｈ  ｉｎｄｉｃａｔｉｏｎ  ）が登録メッセージ内に含まれるか決定される。この指標は、無線セットによって、無線セットが、無線セットが以前登録されていたのとは異なるゾーン内の基地局に登録したときに送信される。判定ブロック７０２における答えが肯定である場合は、ブロック７０３において、中央コンピュータ１０１を使用して登録が処理され、ブロック７０４において、状態テーブルが、無線セットが現在このページングゾーン内の基地局上に登録されていることを示すように更新される。ブロック７０４の実行の後に、制御は、図５の判定ブロック５０１に戻される。判定ブロック７０２に戻り、答えが否定である場合は、ブロック７０６において、状態テーブルが、無線セットが異なる基地局に登録されたことを示すように更新される。このページングゾーン移動の指標は、ページングゾーンコントローラに対して、無線セットが、単に、そのページングゾーン内のある基地局から別の基地局に移されたことを示す（定義する）。ブロック７０６の実行の後に、制御は、図５のブロック５０１に戻る。
【００１８】
判定ブロック７０１に戻り、答えが否定である場合は、制御は、判定ブロック７０７に渡される。判定ブロック７０７において、無線セットの登録をチェックするための所定の時間期間が過ぎたか決定される。ページングゾーンコントローラは中央コンピュータ１０１から指標を受信しないために、無線セットが図７を実行しているページングゾーンコントローラから別のページングゾーンコントローラに移動した場合、ページングゾーンコントローラは、状態テーブル内に無線セットの登録の時刻のリストを維持することが必要である。判定ブロック７０７における答えが、無線セットの幾つかが登録されているが、所定の量を超える時間期間を過ぎても起動されないことを示す場合は、判定ブロック７０８において、これら無線セットが探索され、状態テーブルから削除される。ブロック７０８の実行の後に、ブロック７０９において、残りのメッセージが通常の方法にて処理され、その後、制御は、図５の判定ブロック５０１に戻る。判定ブロック７０７における答えが否定である場合は、制御は、ブロック７０９に渡されるが、この動作については、上に説明された通りである。
【００１９】
図７の判定ブロック７００に戻り、答えが肯定である場合は、制御は、図１０の判定ブロック１００１に渡される。判定ブロック１００１において、登録メッセージ内に、ページゾーン切替え（移動）の指標（ｐａｇｅ  ｚｏｎｅ  ｓｗｉｔｃｈ  ｉｎｄｉｃａｔｉｏｎ  ）も含まれるか決定される。答えが否定である場合は、ブロック１００２において、制御が、ブロック１００４に渡され、入り呼がこのページングゾーンコントローラに中央コンピュータ１０１によって移されるべきであることが要請される。入り呼がこのページングゾーンコントローラに移されると、このページングゾーンコントローラが、入り呼を、無線セットに基地局を介して接続する。判定ブロック１００１に戻り、登録メッセージ内にページゾーン切替えの指標が含まれない場合は、ブロック１００３において、状態テーブル内に、無線セットがこのページングゾーン内に登録されており、かつ、アクティブであるものとして入力する。ブロック１００３の実行の後に、制御は、ブロック１００４に渡されるが、ブロック１００４の動作については、既に上で説明された。
【００２０】
図５の判定ブロック５１０に戻り、ページペンディング応答メッセージが存在する場合は、制御は、図６の判定ブロック６０１に渡される。判定ブロック６０１において、このページペンディング応答メッセージ内に、呼カバーシステムが定義されているか決定される。答えが肯定である場合は、判定ブロック６０７において、ページペンディング応答メッセージ内に、カバーメッセージ（ｃｏｖｅｒａｇｅｍｅｓｓａｇｅ）が定義されているか決定される。このカバーメッセージの定義は、呼カバーシステムによって、発呼者に与えられるべきメッセージを定義する。例えば、呼カバーシステムが音声メールシステム１２９である場合は、カバーメッセージの定義は、例えば、音響メッセージを定義し、これが発呼者によって受信される。判定ブロック６０７における答えが肯定である場合は、ブロック６０８において、中央コンピュータにリクエストが送られ、このリクエストによって、中央コンピュータに対して、入り呼を定義された呼カバーシステムに転送することが要請され、さらに、呼カバーシステムに対して、発呼者に応答するに当たって定義されたカバーメッセージを利用することが要請される。ブロック６０８の実行の後に、制御は、図５の判定ブロック５０１に戻る。判定ブロック６０７に戻り、答えが否定である場合は、ブロック６０９において、中央コンピュータ１０１にリクエストが送信され、このリクエストによって、中央コンピュータ１０１に対して、入り呼を定義された呼カバーシステムに転送することが要請される。ただし、ここでは、カバーメッセージは定義されない。ブロック６０９の実行の後に、制御は、図５の判定ブロック５０１に渡される。
【００２１】
図６の判定ブロック６０１に戻り、答えが否定である場合は、判定ブロック６０２において、ページペンディング応答メッセージ内に、別の基地局探索中の指標（ｓｅｅｋｉｎｇ  ａｎｏｔｈｅｒ  ｂａｓｅ  ｓｔａｔｉｏｎ  ｉｎｄｉｃａｔｉｏｎ  ）が含まれるか決定される。この指標が含まれる場合は、結果として、中央コンピュータ１０１は、呼を保留状態にし、無線セットが、入り呼を接続するための呼容量を持つ基地局を見つけるまで、あるいは、所定の時間期間が過ぎるまでこれを維持する。判定ブロック６０２における答えが肯定である場合は、ブロック６０３において、呼保留メッセージ（ｃａｌｌ  ｈｏｌｄ  ｍｅｓｓａｇｅ  ）が中央コンピュータ１０１に送られ、無線セットが別の基地局に移ることを試みている所であり、このため、呼が保留状態にされるべきであることが通知される。ブロック６０３の実行の後に、制御は、図５の判定ブロック５０１に渡される。判定ブロック６０２に戻り、答えが否定である場合は、制御は、ブロック６０４に渡される。ブロック６０４において、ページングゾーンコントローラ内に記録されている内部データを使用して、入り呼を扱うためにどの呼カバーシステムを使用すべきであるか、および、カバーメッセージが指定されるべきであるかが決定される。次に、ブロック６０６において、中央コンピュータ１０１に、呼カバーシステムを定義し、かつ、カバーメッセージが指定されている場合は定義されたカバーメッセージを定義するリクエストが送信される。ブロック６０６の実行の後に、制御は、図５の判定ブロック５０１に渡される。
【００２２】
図８は、無線セットによって、ページング動作（呼出し動作）との関連で遂行される動作を解説する。判定ブロック８０１において、ページメッセージ（ｐａｇｅｍｅｓｓａｇｅ）が受信されたか否か決定される。答えが肯定である場合は、ブロック８０２において、ページメッセージが通常の方法にて処理された後に、制御は、判定ブロック８０１に戻る。判定ブロック８０１における答えが否定である場合は、判定ブロック８０３において、ページペンディングメッセージが受信されたか決定される。答えが否定である場合は、ブロック８０４において、メッセージあるいは他の刺激（信号）が、従来の方法にて処理された後に、制御は、判定ブロック８０１に戻る。
【００２３】
判定ブロック８０３における答えが肯定である場合は、ブロック８０６において、ページングゾーン内に呼容量を持つ別の基地局が存在し、入り呼が無線セットに向けて設定できるか決定される。判定ブロック８０７において、別の基地局が見つけられたか決定される。答えが肯定である場合は、ブロック８１１において、登録をしなおす動作が遂行され、呼が通常の方法にて処理され、その後、制御は、判定ブロック８０１に戻る。別の基地局が見つからなかった場合は、制御はブロック８０８に戻され、ここで、ユーザに、ページ（呼出し）が放置されていること、および、ページングゾーン内に呼容量を持つ基地局が見つからないことが警報される。ブロック８０８の実行の後に、判定ブロック８０９において、ユーザが、ページペンディング応答メッセージを、ページングゾーンコントローラに基地局を介して送信することを選択したか決定される。判定ブロック８０９における答えが否定である場合は、判定ブロック８１０において、ユーザに別の基地局を見つけるために許された所定の時間が過ぎたか決定される。この状況においては、ユーザは、現在のページングゾーン内の基地局を見つけなければならないことに注意する。判定ブロック８１０の答えが否定である場合は、制御は、ブロック８０６に戻される。判定ブロック８１０における答えが肯定である場合は、制御は、判定ブロック８０１に戻される。
【００２４】
判定ブロック８０９に戻り、答えが肯定である場合は、判定ブロック８１２において、ユーザが、無線セットのキーパッドを使用して、呼カバーの選択を示したか決定される。答えが否定である場合は、制御は、図９の判定ブロック９０１に渡される。判定ブロック８１２における答えが肯定である場合は、制御は、ブロック８１３に渡され、ここで、ユーザがさらに、カバーメッセージの選択を挿入することを望むか決定される。判定ブロック８１３における答えが肯定である場合は、ブロック８１４において、選択されたカバーメッセージが、ページペンディングメッセージ内に挿入され、制御は、ブロック８１６に渡される。ブロック８１６において、呼カバーシステムの選択がページペンディングメッセージ内に挿入される。最後に、ブロック８１７において、ページペンディングメッセージがページングコントローラに送信され、その後、制御は、判定ブロック８０１に戻る。判定ブロック８１３における答えが否定である場合は、制御は、ブロック８１６に渡されるが、この動作については、既に説明された。
【００２５】
判定ブロック８１２に戻り、答えが否定である場合は、制御は、図９の判定ブロック９０１に渡され、ここで、ユーザが、呼保留オプションを選択したか決定される。答えが否定である場合は、ブロック９０２において、ページペンディングメッセージがページングゾーンコントローラに送信され、その後、制御は、図８の判定ブロック８０１に戻る。判定ブロック９０１に戻り、答えが肯定である場合は、ブロック９０３において、別の基地局を探索中である指標を含むページペンディング応答メッセージがページングゾーンコントローラに送信され、制御は、判定ブロック９０４に渡される。判定ブロック９０４において、ページングチャネルを利用して、入り呼の受信を可能にする必要な呼容量を持つ新たな基地局を見つけるための探索が開始される。判定ブロック９０４において遂行される探索は、現在のページングゾーン内に制限されるものではない。別の基地局が見つからない場合は、制御は、判定ブロック９０６に渡され、所定の時間期間が切れたか決定される。この所定の時間期間は、好ましくは、２分間とされる。判定ブロック９０６における答えが否定である場合は、制御は、判定ブロック９０４に戻される。判定ブロック９０６における答えが肯定である場合は、制御は、図８の判定ブロック８０１に戻される。中央コンピュータ１０１は、同程度の時間期間を、入り呼が、呼の保留状態から、切断されるまでの期間として許す。判定ブロック９０４に戻り、別の基地局が発見された場合は、制御は、判定ブロック９０７に渡され、ここで、この別の基地局が、新たなページングゾーン内に位置するか決定される。答えが否定である場合は、ブロック９０９において、呼保留指標を定義する登録メッセージがそのページングゾーンコントローラに送信される。ページングゾーンコントローラは、この登録メッセージに応答して、通常の登録手続きを削除する。ブロック９０９の実行の後に、制御は、図８の判定ブロック８０１に渡される。判定ブロック９０７における答えが肯定である場合は、ブロック９０８において、ページゾーンの切替えと呼の保留を示す登録メッセージがページングゾーンコントローラに送信される。ブロック９０８の実行の後に、制御は、図８の判定ブロック８０１に戻される。
【００２６】
図１１は、中央コンピュータ１０１の入り呼に対する動作を解説する。判定ブロック１１０１において、中央コンピュータ１０１によって受信されている刺激が入り呼であるか決定される。答えが否定である場合は、制御は、ブロック１１０２に渡され、ここで、この刺激（信号）が通常の方法にて処理され、その後、制御は、再び、ブロック１１０１に渡される。判定ブロック１１０１における答えが肯定である場合は、ブロック１１０３において、無線セットが登録されているページングゾーンが決定される。次に、判定ブロック１１０４において、ページングゾーンが決定されたか調べられる。答えが否定である場合は、ブロック１１０６において、入り呼が拒絶され、その後、制御は、判定ブロック１１０１に戻る。判定ブロック１１０４における答えが肯定である場合は、ブロック１１０７において、設定メッセージ（ｓｅｔｕｐ  ｍｅｓｓａｇｅ  ）が決定されたページングゾーンを制御しているページングゾーンコントローラに送信される。判定ブロック１１０８において、ページングゾーンコントローラから接続メッセージ（ｃｏｎｎｅｃｔ  ｍｅｓｓａｇｅ  ）が受信されたか決定される。ページングゾーンコントローラは、接続メッセージを、入り呼をそのページングゾーンコントローラによって制御されるページングゾーン内の被呼無線セットに直ちに接続することが可能な場合に送信する。判定ブロック１１０８における答えが肯定である場合は、ブロック１１０９において、ページングゾーンコントローラに向けて会話経路が設定され、これに応答して、ページングゾーンコントローラが、被呼無線セットに向う経路を基地局を介して設定する。ブロック１１０９の実行の後に、制御は、判定ブロック１１０１に戻る。
【００２７】
判定ブロック１１０８における答えが否定である場合は、判定ブロック１１１１において、呼保留指標を定義する呼保留メッセージが受信されたか決定される。答えが否定である場合は、判定ブロック１１１２において、ページングゾーンコントローラからのメッセージを受信するために許される所定の時間が切れたか決定される。このメッセージは、接続メッセージであることも、あるメッセージであることもあり得る。判定ブロック１１１２における答えが否定である場合は、制御は、判定ブロック１１０８に戻る。判定ブロック１１１２における答えが肯定である場合は、制御は、判定ブロック１１０１に戻る。
【００２８】
判定ブロック１１１１に戻り、答えが肯定である場合は、判定ブロック１１１３において、入り呼リクエスト（ｉｎｃｏｍｉｎｇ  ｃａｌｌ  ｒｅｑｕｅｓｔ  ）がページングゾーンコントローラから受信されたか決定される。ページングゾーンコントローラは、このリクエストを、これが無線セットから呼保留状態を定義する登録リクエストを受信したときに送信する。判定ブロック１１１３における答えが否定であるときは、判定ブロック１１１４において、入り呼メッセージを受信するために許される所定の時間期間が切れたか決定される。この所定の時間期間は、好ましくは、２分間とされる。判定ブロック１１１４における答えが肯定である場合は、制御は、判定ブロック１１０１に戻される。判定ブロック１１１３に戻り、答えが肯定である場合は、制御は、ブロック１１１８に渡され、ここで、ページングゾーンコントローラへの会話経路が設定され、その後、制御は、判定ブロック１１０１に戻される。
【図面の簡単な説明】
【図１】本発明の一つの実施例を示すブロック図である。
【図２】ページングゾーンコントローラの内部構造を示すブロック図である。
【図３】基地局の内部構造を示すブロック図である。
【図４】無線セットの内部構造を示すブロック図である。
【図５】ページングゾーンコントローラの動作を示す図である。
【図６】ページングゾーンコントローラの動作を示す図である。
【図７】ページングゾーンコントローラの動作を示す図である。
【図８】無線セットの動作を示す図である。
【図９】無線セットの動作を示す図である。
【図１０】ページングゾーンコントローラの動作を示す図である。
【図１１】中央コンピュータの動作を示す図である。
【図１２】状態テーブルを示す図である。
【図１】
0003553303.tif 000002
【図２】
0003553303.tif 000003
【図３】
0003553303.tif 000004
【図４】
0003553303.tif 000005
【図５】
0003553303.tif 000006
【図６】
0003553303.tif 000007
【図７】
0003553303.tif 000008
【図８】
0003553303.tif 000009
【図９】
0003553303.tif 000010
【図１０】
0003553303.tif 000011
【図１１】
0003553303.tif 000012
【図１２】
0003553303.tif 000013